(57)【要約】      （修正有）【課題】ユーザの状況をＳＮＳサイト等の情報サーバに送信する操作制御装置、操作制御方法および操作制御プログラムを提供する。【解決手段】送信される操作要求に応じて動作する表示機器に対する操作要求の入力を受付ける入力部と、入力部に入力された操作要求を、表示機器に送信する操作制御部と、入力部に入力された操作要求に関する情報を、ネットワークを介して接続された情報サーバに送信する通信部と、を備えた構成とする。【選択図】図１
2013149020.tif 000002
【特許請求の範囲】
【請求項１】
送信される操作要求に応じて動作する表示機器に対する前記操作要求の入力を受付ける入力部と、
前記入力部に入力された前記操作要求を、前記表示機器に送信する操作制御部と、
前記入力部に入力された前記操作要求に関する情報を、ネットワークを介して接続された情報サーバに送信する通信部と、
を備えることを特徴とする操作制御装置。
【請求項２】
前記表示機器は、送信される複数チャンネルのテレビジョン放送信号のうち、選局されたチャンネルのテレビジョン放送信号に基づく情報を出力するテレビジョン受信装置であり、
前記入力部は、前記複数チャンネルのうち前記テレビジョン受信装置が出力するチャンネルを選局する選局情報である前記操作要求の入力を受付ける
ことを特徴とする請求項１に記載の操作制御装置。
【請求項３】
前記通信部は、前記入力部に前記選局情報が入力された後、一定時間の間に、当該選局情報が示すチャンネルとは異なるチャンネルを選局する選局情報が入力されなかった場合、前記操作要求に関する情報を前記情報サーバに送信する
ことを特徴とする請求項２に記載の操作制御装置。
【請求項４】
前記入力部は、前記テレビジョン受信装置が出力する情報に対する評価を示す評価情報の入力を受付け、
前記通信部は、前記入力部に入力された評価情報を前記情報サーバに送信する
ことを特徴とする請求項２または請求項３に記載の操作制御装置。
【請求項５】
前記通信部は、前記入力部に前記選局情報が入力された後、当該選局情報に応じて前記テレビジョン受信装置が出力する情報に対する評価を示す評価情報が入力されると、前記操作要求に関する情報を前記情報サーバに送信する
ことを特徴とする請求項２から請求項４までのいずれか１項に記載の操作制御装置。
【請求項６】
前記通信部は、前記情報サーバに接続された他の前記操作制御装置から当該情報サーバに送信された前記選局情報に基づく出力情報を受信し、
前記操作制御装置は、
前記通信部が受信した前記出力情報を出力する出力部を備える
ことを特徴とする請求項２から請求項５までのいずれか１項に記載の操作制御装置。
【請求項７】
前記通信部は、前記情報サーバに接続された他の前記操作制御装置から当該情報サーバに送信された前記選局情報に基づく統計情報を受信する
ことを特徴とする請求項２から請求項６までのいずれか１項に記載の操作制御装置。
【請求項８】
前記操作制御部は、前記情報サーバに接続された他の前記操作制御装置から当該情報サーバに送信された前記選局情報に基づいて、前記複数チャンネルからいずれかのチャンネルを選局し、選局した選局情報を前記テレビジョン受信装置に送信する
ことを特徴とする請求項２から請求項７までのいずれか１項に記載の操作制御装置。
【請求項９】
前記操作制御装置は、送信される複数チャンネルのテレビジョン放送信号のうち、選局されたチャンネルのテレビジョン放送信号に基づく情報を出力するテレビジョン部をさらに備え、
前記操作制御部は、前記情報サーバに接続された他の前記操作制御装置から当該情報サーバに送信された前記選局情報に基づいて、前記複数チャンネルからいずれかのチャンネルを選局し、選局したチャンネルを前記テレビジョン部に出力させる
ことを特徴とする請求項２から請求項８までのいずれか１項に記載の操作制御装置。
【請求項１０】
送信される操作要求に応じて動作する表示機器に対する前記操作要求の入力を受付けるステップと、
入力された前記操作要求を、前記表示機器に送信するステップと、
入力された前記操作要求に関する情報を、ネットワークを介して接続された情報サーバに送信するステップと、
を備えることを特徴とする操作制御方法。
【請求項１１】
コンピュータに、
送信される操作要求に応じて動作する表示機器に対する前記操作要求の入力を受付けるステップと、
入力された前記操作要求を、前記表示機器に送信するステップと、
入力された前記操作要求に関する情報を、ネットワークを介して接続された情報サーバに送信するステップと、
を実行させる操作制御プログラム。
【発明の詳細な説明】
【技術分野】
【０００１】
本発明は、表示機器を操作制御する情報を共有する技術に関する。
【背景技術】
【０００２】
インターネット等のネットワークを介して複数のユーザ同士のコミュニケーションを促進するＳＮＳ（social network service）サイトが提供されている。このようなＳＮＳサイトには、数十文字から数百文字程度の短文等の簡潔な情報によってユーザの今の状況を伝え合うものが存在する。例えば、ユーザが、自身が観ているテレビのチャンネル等をこのようなＳＮＳサイトに投稿して他のユーザと共有したい場合、ユーザはＰＣ（Personal computer）や移動通信端末等を利用してＳＮＳサイトにアクセスし、自身が観ているテレビのチャンネルを示す情報を投稿する。これにより、ユーザ同士が観ているテレビのチャンネルに基づいて会話する等のコミュニケーションを促すことができる。特許文献１には、テレビからサーバに選局情報を通知することで、友人などのグループ内で選局情報を共有することが記載されている。
【先行技術文献】
【特許文献】
【０００３】
【特許文献１】特開２０１０−２５８９８６号公報
【発明の概要】
【発明が解決しようとする課題】
【０００４】
しかしながら、上述のように、ユーザが自身の状態をＳＮＳサイトに投稿する場合、自身の状況をＰＣや携帯電話端末等に用いて入力しなければならず、手間がかかっていた。ここで、ＳＮＳサイトにおけるコミュニケーションを、より気軽に、より効率良く利用できることが望ましい。
【０００５】
本発明は、このような状況に鑑みてなされたもので、ユーザの状況を、ＳＮＳサイト等の情報サーバに送信する操作制御装置、操作制御方法および操作制御プログラムを提供する。
【課題を解決するための手段】
【０００６】
上述した課題を解決するために、本発明は、送信される操作要求に応じて動作する表示機器に対する操作要求の入力を受付ける入力部と、入力部に入力された操作要求を、表示機器に送信する操作制御部と、入力部に入力された操作要求に関する情報を、ネットワークを介して接続された情報サーバに送信する通信部と、を備えることを特徴とする操作制御装置である。
【０００７】
また、本発明は、送信される操作要求に応じて動作する表示機器に対する操作要求の入力を受付けるステップと、入力された操作要求を、表示機器に送信するステップと、入力された操作要求に関する情報を、ネットワークを介して接続された情報サーバに送信するステップと、を備えることを特徴とする操作制御方法である。
【０００８】
また、本発明は、コンピュータに、送信される操作要求に応じて動作する表示機器に対する操作要求の入力を受付けるステップと、入力された操作要求を、表示機器に送信するステップと、操作要求に関する情報を、ネットワークを介して接続された情報サーバに送信するステップと、を実行させる操作制御プログラムである。
【発明の効果】
【０００９】
以上説明したように、本発明によれば、操作制御装置が、送信される操作要求に応じて動作する表示機器に対する操作要求の入力を受付ける入力部と、入力部に入力された操作要求を、表示機器に送信する操作制御部と、入力部に入力された操作要求に関する情報を、ネットワークを介して接続された情報サーバに送信する通信部と、を備えるようにしたので、ユーザの状況を情報サーバに送信することができる。
【図面の簡単な説明】
【００１０】
【図１】本発明の一実施形態による情報通信システムの構成例を示すブロック図である。
【図２】本発明の一実施形態による操作制御装置の外観を示す図である。
【図３】本発明の一実施形態による操作制御装置に表示される画面の例を示す図である。
【図４】本発明の一実施形態による操作制御装置に表示される評価入力画面の例を示す図である。
【図５】本発明の一実施形態による個人情報のデータ例を示す図である。
【図６】本発明の一実施形態によるＳＮＳ情報のデータ例を示す図である。
【図７】本発明の一実施形態によるグループ情報のデータ例を示す図である。
【図８】本発明の一実施形態による操作制御装置の動作例を示すフローチャートである。
【図９】本発明の一実施形態による操作制御装置が情報サーバに番組情報を送信する動作例を示す図である。
【図１０】本発明の一実施形態による操作制御装置が情報サーバを介して情報を共有する動作例を示す図である。
【図１１】本発明の一実施形態による操作制御装置の動作例を示すフローチャートである。
【図１２】本発明の一実施形態による情報通信システムの動作例を示す図である。
【図１３】本発明の一実施形態による操作制御装置の構成を示すブロック図である。
【図１４】本発明の一実施形態による操作制御装置の動作例を示すフローチャートである。
【図１５】本発明の一実施形態による操作制御装置が情報サーバを介して情報を共有する動作例を示す図である。
【図１６】本発明の一実施形態による操作制御装置の動作例を示すフローチャートである。
【発明を実施するための形態】
【００１１】
以下、本発明の一実施形態について、図面を参照して説明する。
＜第１の実施形態＞
図１は、本発明の第１の実施形態による情報通信システム１の構成を示すブロック図である。情報通信システム１は、テレビジョン受信装置１０と、ＥＰＧサーバ２０と、操作制御装置３０と、情報サーバ４０とのコンピュータ装置を備えている。ここでは、それぞれ一台のコンピュータ装置を示して説明するが、それぞれは複数台であってよい。特に、情報サーバ４０には、複数のユーザそれぞれに対応する操作制御装置３０が接続されているものとする。
【００１２】
テレビジョン受信装置１０は、送信される操作要求に応じて動作する表示機器であり、本実施形態では、テレビジョン放送信号を受信して映像や音声を出力する機器である。テレビジョン受信装置１０は、送信される複数チャンネルのテレビジョン放送信号のうち、予め選局されたチャンネルのテレビジョン放送信号を受信し、受信したテレビジョン放送信号に高周波処理及び復調処理を行って映像や音声等の情報を生成し、生成した情報を自身が備える表示画面やスピーカ等の出力部に出力する。また、テレビジョン受信装置１０は、操作制御装置３０との通信機能を備えており、操作制御装置３０からチャンネルの選局を示す選局情報等の操作要求を受信し、受信した操作要求に応じて動作する。
【００１３】
ＥＰＧサーバ２０は、電子番組表（ＥＰＧ：Electronic Program Guide）を送信するコンピュータ装置である。ＥＰＧは、テレビジョン放送のチャンネル毎、日時毎に、放送される番組を識別するコンテンツＩＤ（Identifier）や番組のタイトル、ジャンル、番組内容、出演者等の番組情報が対応付けられた情報である。ＥＰＧサーバ２０は、自身の記憶領域にＥＰＧを記憶しており、要求に応じてＥＰＧを送信する。
【００１４】
操作制御装置３０は、テレビジョン受信装置１０に操作要求を送信するコンピュータ装置である。操作制御装置３０は、入力部３１と、操作制御部３２と、通信部３３と、出力部３４とを備えている。本実施形態では、操作制御装置３０として携帯電話端末を適用する例を説明する。
入力部３１は、タッチパネルやボタン等の入力デバイスを備えており、表示機器であるテレビジョン受信装置１０に対する操作要求の入力を受付ける。例えば、入力部３１は、テレビジョン放送信号により放送される複数チャンネルのうちテレビジョン受信装置１０が出力するチャンネルを選局する選局情報である操作要求の入力を受付ける。また、入力部３１は、テレビジョン受信装置１０が出力する情報に対する評価を示す評価情報の入力を受付ける。
【００１５】
図２は、操作制御装置３０の外観を示す図である。操作制御装置３０は、符号ａに示すタッチパネルに、符号ｂに示すチャンネル選択ボタンと、符号ｃに示す「情報共有ボタン」が表示されている。「情報共有」ボタンは、操作制御装置３０に入力される情報を情報サーバ４０に送信して共有するか否かを選択するボタンである。例えば、チャンネル選択ボタンが押下されて選局された後に、「情報共有」ボタンが押下されると、選局されたチャンネルを示す選局情報が、情報サーバ４０に送信される。符号ｄは、操作制御装置３０が備える物理ボタンであり、例えば操作制御装置３０自体の電源ボタン、リセットボタン等である。ここで、情報サーバ４０に送信される情報には、選局されたチャンネルを示す選局情報の他に、例えばチャンネル選択ボタンが押下された時刻や、操作制御装置３０が備えるＧＰＳ（Global Positioning System）機能により取得される位置情報、操作制御装置３０を操作するユーザを識別する個人ＩＤ等を含ませることができる。
【００１６】
図３は、チャンネルが選択されたテレビ視聴中に操作制御装置３０のタッチパネルに表示される画面の例を示す図である。符号ａには、選択されたチャンネルに応じた番組のタイトルが表示される。符号ｂは、ユーザが視聴しているチャンネルの番組内容に応じた評価を入力するボタンである。ここでは、「↑」は「良い」評価であることを示し、「↓」は「悪い」評価であることを示している。符号ｃは、ユーザがテレビを視聴している状態を入力するボタンである。ここでは、「暇」は現在特にすることがなく暇な状態であることを示し、「熱中」は熱中してテレビ番組を視聴していることを示す。符号ｄ以下については後述する。このようにすれば、ユーザは、グループ内の他のユーザが意識的にその番組を観ているか、暇であるがゆえに観ているかを認識することができる。
【００１７】
図４は、より詳細に段階的な評価入力を受付ける場合の入力画面の例を示す図である。すなわち、「良い」「悪い」の２段階の評価のみでなく、最も「良い」評価を「＋１０」とし、最も「悪い」評価を「−１０」とした２１段階の設定をすることができる。この図では、符号ａに示す上向きボタンまたは下向きボタンを押下すると、押下されたボタンの向きに応じて、符号ｂに示す評価数値が上下するように制御される。符号ｃに示す「評価する」ボタンが押下されると、その時点で符号ｂに表示されている数値が、評価の度合いを示す評価情報として情報サーバ４０に送信される。
【００１８】
操作制御部３２は、入力部３１に入力された操作要求を、表示機器に送信する。操作制御部３２は、例えば、赤外線通信、無線ＬＡＮ（Local Area Network）通信や近距離無線通信等によりテレビジョン受信装置１０と通信し、テレビジョン受信装置１０に操作要求を送信する。
【００１９】
通信部３３は、入力部３１に入力された操作要求に関する情報を、無線ＬＡＮやインターネット等のネットワークを介して接続された情報サーバ４０に送信する。このとき、通信部３３が情報サーバ４０に送信する操作要求に関する情報には、上述したように、選局情報、時刻、位置情報、ユーザの個人ＩＤ等を含ませることができる。また、通信部３３は、入力部３１に入力された評価情報を情報サーバ４０に送信する。また、通信部３３は、情報サーバ４０に接続された他の操作制御装置３０から情報サーバ４０に送信された選局情報に基づく出力情報を受信し、出力部３４に出力させる。例えば、通信部３３は、図３の符号ｄに示すように、予め定められたユーザの友人Ａ、Ｂ、Ｃ、Ｄのそれぞれが視聴しているテレビ番組と、ユーザによる番組の評価、ユーザの状態等を示す出力情報を出力部３４に出力させる。ここで、操作制御装置３０が情報サーバ４０から受信する出力情報は、複数ユーザの評価情報の統計情報とすることができる。図の例では、符号ｅの箇所において、良い評価をした人数の推移が実線によって、悪い評価をした人数の推移が破線によって、時間の経過とともにグラフ化されて表示されている。このようにすれば、ユーザは、番組の評価等についてリアルタイムなデータの推移をみることができる。
【００２０】
ここで、通信部３３は、入力部３１に第１の操作要求が入力された後、一定時間の間に、その第１の操作要求により選択されたチャンネルとは異なるチャンネルを選局する第２の操作要求が入力部３１に入力されなかった場合、入力された第１の操作要求を情報サーバ４０に送信するようにすることができる。すなわち、ユーザがテレビのチャンネルを頻繁に切替えるようなザッピングを行っている場合、一時的に選択されたのみであるチャンネルは、ユーザが視聴する意思が定まっていないチャンネルであると推定できる。そこで、入力部３１に第１の操作要求が入力されて特定のチャンネルが選局されると、通信部３３は、自身が備える計時機能により、入力部３１に第１の操作要求が入力された時点からの経過時間を計測する。通信部３３は、入力部３１に操作要求が入力された時点から一定時間（例えば、５分）を経過するまでの間に、他のチャンネルを選局する第２の操作要求が入力部３１に入力されなかった場合、入力された第１の操作要求を情報サーバ４０に送信する。この場合、ユーザがそのチャンネルを視聴する意思が定まったと推定できるからである。一方、通信部３３は、入力部３１に第１の操作要求が入力された時点から一定時間を経過するまでの間に、他のチャンネルを選局する第２の操作要求が入力部３１に入力された場合、入力された第１の操作要求を情報サーバ４０に送信しない。この場合、ユーザがそのチャンネルを視聴する意思が定まっておらず、ユーザはザッピングを行っていたと推定できるからである。同様に、第２の操作要求が入力された後、一定時間が経過するまでに第３の操作要求が入力されなければ、通信部３３は第２の操作要求を情報サーバ４０に送信し、第３の操作要求が入力されれば、通信部３３は第２の操作要求を情報サーバ４０に送信しない。
【００２１】
また、通信部３３は、入力部３１に入力された選局情報が操作制御部３２によってテレビジョン受信装置１０に送信され、テレビジョン受信装置１０がその選局情報に応じた番組の出力を開始した後、その番組に対する評価を示す評価情報がユーザから入力部３１に入力されると、操作要求を情報サーバ４０に送信するようにしてもよい。例えば、入力部３１にチャンネルを選択する操作要求が入力された時点から一定時間が経過していない場合であっても、図３に示すような評価を示すボタンが押下され、ユーザからそのチャンネルの番組内容に応じた「良い」または「悪い」を示す評価が入力された場合、その入力された操作要求を情報サーバ４０に送信し、記憶させることができる。この場合、そのチャンネルの番組が表示されていた時間が短時間であっても、ユーザはその番組を積極的に観ていたと考えられるからである。例えば、１人または１組のお笑い芸人のコントを数分観ていただけである場合や、１人または１組のミュージシャンの演奏を観ていただけである場合でも、ユーザがその番組を楽しんで観ていた場合があるためである。
【００２２】
出力部３４は、画像を表示するディスプレイである表示部や、音声を出力するスピーカを備えており、情報を出力する。本実施形態では、出力部３４は入力部３１を兼ねたタッチパネルである。出力部３４は、例えば、通信部３３が情報サーバ４０から受信した出力情報を表示する。
【００２３】
情報サーバ４０は、ネットワークを介してＥＰＧサーバ２０や複数の操作制御装置３０と接続されるコンピュータ装置であり、ＳＮＳサイトを提供するＳＮＳサーバである。情報サーバ４０は、個人情報記憶部４１と、ＳＮＳ情報記憶部４２と、グループ記憶部４３と、ＳＮＳ制御部４４と、グループ判定部４５とを備えている。
個人情報記憶部４１には、操作制御装置３０を用いてＳＮＳを利用するユーザの個人情報が記憶される。図５は、個人情報記憶部４１に記憶される個人情報のデータ例を示す図である。個人情報には、ユーザを識別する個人ＩＤに対応付けて、名前、ニックネーム、年代、性別、居住地などの情報が記憶される。名前は、対応するユーザの氏名である。ニックネームは、対応するユーザがＳＮＳにおいて使用する名前である。年代は、対応するユーザの年齢に応じた年代である。性別は、対応するユーザの性別である。居住地は、対応するユーザが居住する地域である。これらの個人情報は、ユーザがＳＮＳにアカウントを登録する際に操作制御装置３０に入力され、情報サーバ４０に送信されて記憶される。情報サーバ４０に記憶された個人情報は、操作制御装置３０からの要求に応じて更新することができる。
【００２４】
ＳＮＳ情報記憶部４２には、操作制御装置３０に入力された情報が記憶される。図６は、ＳＮＳ情報記憶部４２に記憶されるＳＮＳ情報のデータ例を示す図である。ＳＮＳ情報には、ＳＮＳ情報を識別するイベントＩＤに対応付けて、日時、個人ＩＤ、ステータス、コンテンツＩＤ、評価パラメータ等の情報が記憶される。日時は、対応する情報が操作制御装置３０に入力された日時、あるいは入力された情報を情報サーバ４０が受信した日時である。個人ＩＤは、対応する情報を入力したユーザを識別する情報である。コンテンツＩＤは、入力部３１に情報が入力された際にテレビジョン受信装置１０が出力していた番組（コンテンツ）を識別する情報である。評価パラメータは、ユーザから入力部３１に入力された情報である。評価パラメータには、例えば評価情報や状態情報が含まれる。評価パラメータは、単なる数値であっても配列変数であっても構造体変数であってもよいが、ここでは簡略化のために、要素０の「評価情報」と、要素１の「状態情報」との２つの要素を含む情報であるとして説明する。例えば、要素０においては、数値が正であれば評価が高く、数値が負であれば評価が低い事を示す。要素１においては、数値が正であれば熱意を持って見ていることを示し、数値が負であれば熱意がない事を示す。たとえば、ユーザが、コンテンツに対して低い評価をし、熱意を持って見ている場合は、評価パラメータは（−１、１）となり、コンテンツに対して評価はしていないが熱意がない場合は、（０、−１）となる。各パラメータは、絶対値が大きいほど、その情報(良い、悪い、熱意がある、熱意がない)が顕著であることを示す。
【００２５】
グループ記憶部４３には、ユーザが情報サーバ４０に記憶されている情報を共有する相手のリストであるグループ情報が記憶されている。図７は、グループ記憶部４３に記憶されるグループ情報のデータ例を示す図である。グループ情報には、グループを識別するグループＩＤに対応付けて、定められたグループに属するユーザを識別する個人ＩＤが記憶される。
【００２６】
ＳＮＳ制御部４４は、個人情報記憶部４１と、ＳＮＳ情報記憶部４２と、グループ記憶部４３とに記憶されている情報に基づいてＳＮＳを提供する。
グループ判定部４５は、ＳＮＳ情報記憶部４２に記憶されているＳＮＳ情報に基づいてユーザの共通点等を判定してグループを生成し、生成したグループをグループ記憶部４３に記憶させる。グループは、例えば年代、性別、地域、共通のチャンネルやジャンルのコンテンツに対して「良い」評価や「悪い」評価をした回数等に応じて判定することができる。例えば、同じジャンルのコンテンツに対して高い評価をしている人に対しては、そのジャンルのコンテンツに高い関心があると判断できるので、そのようなユーザをグルーピングし、情報発信することが考えられる。
【００２７】
次に、図面を参照して、本実施形態による情報通信システム１の動作例を説明する。図８は、本実施形態による操作制御装置３０の動作例を示すフローチャートである。
ユーザによって操作制御装置３０の入力部３１における選局ボタンが押下されると（ステップＳ１）、操作制御部３２は、押下された選択ボタンに応じたチャンネルを示す選局情報をテレビジョン受信装置１０に送信する（ステップＳ２）。そして、ユーザによって操作制御装置３０の入力部３１における情報共有ボタンが押下されると（ステップＳ３：ＹＥＳ）、通信部３３は、ステップＳ１において押下された選局ボタンに応じた選局情報を情報サーバ４０に送信する（ステップＳ４）。情報共有ボタンが押下されなければ、ステップＳ３に戻る。
【００２８】
図９は、本実施形態による操作制御装置３０が情報サーバ４０に番組情報を送信する動作例を示す図である。
操作制御装置３０の入力部３１における選局ボタンが押下され、チャンネルａが選択されたことが入力されると（ステップＳ１０）、操作制御部３２は、チャンネルａが選択されたことを示す選局情報をテレビジョン受信装置１０に送信する（ステップＳ１１）。テレビジョン受信装置１０は、操作制御装置３０から送信された選局情報に応じて、チャンネルａの番組を表示する（ステップＳ１２）。
【００２９】
そして、操作制御装置３０の入力部３１における情報共有ボタンが押下されると、通信部３３は、チャンネルａに対応する番組情報をＥＰＧサーバ２０に要求する。ＥＰＧサーバ２０は、要求された番組情報を、自身の記憶領域に記憶されたＥＰＧから読み出し、読み出した番組情報を操作制御装置３０に送信する（ステップＳ１５）。操作制御装置３０は、ＥＰＧサーバ２０から送信された番組情報を受信すると、その番組情報を選局情報として情報サーバ４０に送信する（ステップＳ１６）。情報サーバ４０は、操作制御装置３０から送信された選局情報を受信し、選局情報を送信した操作制御装置３０に対応する個人ＩＤに対応付けてＳＮＳ情報記憶部４２に記憶させる。
【００３０】
図１０は、本実施形態による操作制御装置３０が情報サーバ４０を介して情報を共有する動作例を示す図である。この例では、ユーザＡの操作制御装置３０−１と、ユーザＢの操作制御装置３０−２とが、情報サーバ４０に記憶されているＳＮＳ情報を共有する例を説明する。ユーザＡとユーザＢとは、同一のグループに属するものとする。図９におけるステップＳ１３〜ステップＳ１６までと同様に、操作制御装置３０−１によって選局されたチャンネルを示す選局情報が情報サーバ４０に送信される（ステップＳ２１〜ステップＳ２４）。この間、操作制御装置３０−２は、情報サーバ４０に対してグループ内の中の状況についての問合せを繰り返し行う（ステップＳ２５）。
【００３１】
ステップＳ２４において操作制御装置３０−１から情報サーバ４０に送信された選局情報が含まれるＳＮＳ情報が情報サーバ４０のＳＮＳ情報記憶部４２に記憶された後、操作制御装置３０−２が情報サーバ４０に問合せを行うと（ステップＳ２６）、情報サーバ４０は、ユーザＡがチャンネルａを選局したことを示す選局情報を操作制御装置３０−２に送信する（ステップＳ２７）。そして、操作制御装置３０−１の入力部３１における評価ボタンが押下され「良い」評価が入力されると（ステップＳ２８）、操作制御装置３０−１の通信部３３は、入力された評価情報を４０に送信する（ステップＳ２９）。その後、操作制御装置３０−２が情報サーバ４０に問合せを行うと（ステップＳ３０）、情報サーバ４０は、操作制御装置３０−１から送信された評価情報を操作制御装置３０−２に送信する（ステップＳ３１）。
【００３２】
なお、本実施形態では、操作制御装置３０の入力部３１の選局ボタンが押下された後に、情報共有ボタンが押下されると、通信部３３が情報サーバ４０に選局情報を送信するようにしたが、例えば情報共有するか否かの選択を、ボタンではなくチェックボックスにて入力し、チェックボックスにチェックがされているか否かを判定して送信するようにしてもよい。図１１は、このような操作制御装置３０の動作例を示すフローチャートである。
ここでは、入力部３１は、入力された情報の情報共有を行うか否かを選択する情報共有チェックボックスを表示しているとする。ユーザによって操作制御装置３０の入力部３１における選局ボタンが押下されると（ステップＳ４０）、操作制御部３２は、押下された選択ボタンに応じたチャンネルを示す選局情報をテレビジョン受信装置１０に送信する（ステップＳ４１）。通信部３３は、入力部３１が表示する情報共有チェックボックスにチェックがされているか否かを判定する（ステップＳ４２）。通信部３３が、情報共有チェックボックスにチェックがされていないと判定すると（ステップＳ４２：ＮＯ）、処理を終了する。通信部３３が、情報共有チェックボックスにチェックがされていると判定すると（ステップＳ４２：ＹＥＳ）、通信部３３は、ステップＳ４０において押下された選局ボタンに応じた選局情報を情報サーバ４０に送信する（ステップＳ４３）。
【００３３】
また、本実施形態では、操作制御装置３０に入力された情報を、操作制御装置３０が直接情報サーバ４０に送信する例を示したが、操作制御装置３０に入力された情報を情報サーバ４０に送信する専用の書き込みサーバ５０を設け、書き込みサーバ５０を介して情報が送信されるようにしてもよい。図１２は、このような情報通信システム１の動作例を示す図である。ここでは、操作制御装置３０はステップＳ１０、ステップＳ１１、ステップＳ１２、ステップＳ１３、ステップＳ１６と同様に動作し、選局情報が書き込みサーバ５０に送信される（ステップＳ５１〜ステップＳ５５）。書き込みサーバ５０は、ステップＳ１４、ステップＳ１５と同様にＥＰＧサーバ２０に番組情報を要求して取得し（ステップＳ５６、ステップＳ５７）、取得した番組情報を情報サーバ４０に送信する（ステップＳ５８）。
【００３４】
なお、本実施形態では、情報サーバ４０がＳＮＳサーバを兼ねる例を説明したが、第三者により提供される外部のＳＮＳサーバを利用して、情報サーバ４０には選局情報や評価情報等のみを記憶、制御させるようにしてもよい。
【００３５】
また、操作制御装置３０の操作制御部３２は、情報サーバ４０に接続された他のユーザの操作制御装置３０から情報サーバ４０に送信された選局情報に基づいて、複数チャンネルからいずれかのチャンネルを選局し、選局した選局情報をテレビジョン受信装置１０に送信してチャンネルを変更するようにしてもよい。これにより、同じグループ内の他のユーザが観ている番組と同じ番組を観ることができる。この場合、例えば定められた閾値以上の「良い」評価の件数、または定められた閾値以上の評価数値の評価がされた場合に、そのチャンネルに変更するようにすることができる。
【００３６】
また、操作制御装置３０の通信部３３は、情報サーバ４０に接続された他のユーザの操作制御装置３０から情報サーバ４０に送信された選局情報に基づく統計情報を受信し、出力部３４に出力するようにしてもよい。統計情報とは、例えば、チャンネル毎、地域毎、性別毎、番組のシーン毎、コーナー毎等に、「良い」評価をした人数と「悪い」評価をした人数等の合計を算出した情報である。
【００３７】
＜第２の実施形態＞
次に、本発明の第２の実施形態について説明する。第１の実施形態では、テレビジョン受信装置１０を操作制御する操作制御装置３０の動作例を示したが、本実施形態では、操作制御装置３０自体がテレビジョンを出力するテレビジョン部３５を備えた操作制御装置３０である例を説明する。図１３は、本実施形態による操作制御装置３０の構成を示すブロック図である。操作制御装置３０は、入力部３１と、操作制御部３２と、通信部３３と、出力部３４とテレビジョン部３５とを備えている。第１の実施形態における操作制御装置３０が備える各部と同名の機能部については、同様の機能である。テレビジョン部３５は、テレビジョン受信装置１０と同様の機能を備え、送信されるテレビジョン放送信号を受信して、受信したテレビジョン放送信号に基づいて生成した情報を出力部３４に出力する。
【００３８】
次に、図面を参照して、本実施形態による情報通信システム１の動作例を説明する。図１４は、本実施形態による操作制御装置３０の動作例を示すフローチャートである。ステップＳ８０からステップＳ８３までの動作は、図８において説明したステップＳ１からステップＳ４までの動作と同様であるが、操作制御装置３０の操作制御部３２は、ステップＳ８１において、選局情報をテレビジョン部３５に入力する。
【００３９】
図１５は、本実施形態による操作制御装置３０が情報サーバ４０を介して情報を共有する動作例を示す図である。
ステップＳ６０からステップＳ７２までの処理は、図１０において説明したステップＳ２１からステップＳ３１までの処理と同様であるが、ステップＳ７３において、操作制御装置３０−２の操作制御部３２は、操作制御装置３０−１のユーザが「良い」と評価したチャンネルに変更する選局情報をテレビジョン部３５に入力し、チャンネルを変更する。
【００４０】
また、第１の実施形態と同様に、入力部３１は、入力された情報の情報共有を行うか否かを選択する情報共有チェックボックスを表示し、通信部３３は、情報共有チェックボックスのチェック状態に応じて選局情報を情報サーバ４０に送信するようにしてもよい。図１６は、このような操作制御装置３０の動作例を示すフローチャートである。ステップＳ９０〜ステップＳ９３の処理は、図１１において示したステップＳ４０〜ステップＳ４３までの処理と同様である。
【００４１】
なお、操作制御装置３０は、例えば、歴史物のコンテンツに対して高い評価を繰り返しているユーザがいる場合、同時刻に歴史物の番組を放映している場合は、その番組のタイトルを操作制御装置３０の画面下部に表示し、タイトル部分をタッチするとその歴史物の番組が端末内で表示される、もしくはそのチャンネルに変更する選局情報をテレビジョン受信装置１０に送信してチャンネルを変更させることができる。
【００４２】
以上説明したように、本実施形態によれば、ユーザが操作制御装置３０や操作制御装置３０を用いてＳＮＳサイトにログインして投稿しなくても、操作制御装置３０や操作制御装置３０によって情報サーバ４０にユーザの状態を示す情報が送信されるので、ユーザは、より気軽に、効率良くＳＮＳサイトにおけるコミュニケーションを楽しむことができる。例えば、これにより、視聴しているテレビ番組をグループのユーザ同士でリアルタイムに共有することができ、同一のテレビ番組についてリアルタイムな会話ができるとともに、特定のユーザが話題に乗り遅れることを防ぐことができる。
【００４３】
また、本実施形態によれば、汎用的な移動通信端末等を操作制御装置３０として用いることができ、通信可能な端末同士であれば情報を共有することができるため、テレビジョン受信装置１０の機種等に依存せずに、情報サーバ４０と通信可能な装置間でコミュニケーションを楽しむことができる。また、移動通信端末であれば、電話通信回線や無線ＬＡＮを通じて他の端末と通信する機能を備えるものであるから、本実施形態のような操作制御装置３０の機能を効率良く実現できる。
【００４４】
また、本実施形態において、操作制御装置３０にテレビジョン受信装置１０に対する操作要求が入力された場合には、情報共有ボタンの押下や情報共有チェックボックスの選択に関わらず、操作制御装置３０に操作要求が入力されたことを示す情報を情報サーバ４０に送信し、特定ユーザのグループ内で共有できるようにしてもよい。このようにすれば、例えば離れて暮らしている家族等をグループとして情報共有し、大きな地震等の震災が発生した場合、地震発生直後にユーザが操作制御装置３０を用いてテレビジョン受信装置１０の電源を着けたりチャンネルを変えたりした場合に、そのことを情報サーバ４０に送信して記憶させることができる。これにより、少なくとも地震直後にユーザが操作制御装置３０を操作してテレビジョン受信装置１０を観たことが情報として情報サーバ４０に記憶されるので、他のユーザにより安否確認をすることができる。このような震災が発生した場合、電話通信網等が輻輳して電話ができないとしても、このような輻輳は震災発生後数分〜１０分程度経過してから起こると考えられる。これに対し、テレビを着ける等の行動は震災発生後すぐに行われる可能性が高いことから、通信網が輻輳する前の段階で情報サーバ４０に安否に関する情報を送信しておくことができる。このような安否確認の場合は、選局情報や評価情報でなく、操作があったことのみを示す履歴が情報サーバ４０に記憶されるようにしてもよい。
【００４５】
またこのような情報を統計化すると、震源地から近く、極端にデータ送信が少ない地域があれば、その地域では重大な被害があったと予測することができ、人手によって通報がなくとも危険を早期に認識することができる。地域を特定するにあたっては、操作制御装置３０が備えるＧＰＳ機能により取得した位置情報や、個人情報記憶部４１に記憶されているユーザの地域等の情報を利用することができる。
【００４６】
なお、本発明における処理部の機能を実現するためのプログラムをコンピュータ読み取り可能な記録媒体に記録して、この記録媒体に記録されたプログラムをコンピュータシステムに読み込ませ、実行することにより情報共有を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４８】
１  情報通信システム
１０  テレビジョン受信装置
２０  ＥＰＧサーバ
３０  操作制御装置
３１  入力部
３２  操作制御部
３３  通信部
３４  出力部
３５  テレビジョン部
４０  情報サーバ
４１  個人情報記憶部
４２  ＳＮＳ情報記憶部
４３  グループ記憶部
４４  ＳＮＳ制御部
４５  グループ判定部
５０  書き込みサーバ
【図１】
2013149020.tif 000003
【図２】
2013149020.tif 000004
【図３】
2013149020.tif 000005
【図４】
2013149020.tif 000006
【図５】
2013149020.tif 000007
【図６】
2013149020.tif 000008
【図７】
2013149020.tif 000009
【図８】
2013149020.tif 000010
【図９】
2013149020.tif 000011
【図１０】
2013149020.tif 000012
【図１１】
2013149020.tif 000013
【図１２】
2013149020.tif 000014
【図１３】
2013149020.tif 000015
【図１４】
2013149020.tif 000016
【図１５】
2013149020.tif 000017
【図１６】
2013149020.tif 000018